(57)【要約】【課題】パレット等の被昇降物に昇降装置を設けることなく、外側に観客席がある競技エリアの床の床面をフラットにしつつ被昇降物を昇降させる。【解決手段】競技施設１０は、外側に観客席１２があるフィールド２０と、フィールド２０の床５０に複数設けられ床５０Ａ面から突出し天然芝パレット１００を昇降させる昇降装置６０と、を備えている。【選択図】図２
2019094743.tif 000002
【特許請求の範囲】
【請求項１】
外側に観客席がある競技エリアと、
前記競技エリアの床に複数設けられ、前記床の床面から突出し、被昇降物を昇降させる昇降装置と、
を備えた競技施設。
【請求項２】
請求項１に記載の競技施設の前記競技エリアの前記床面に並べられた複数のパレットと、
前記昇降装置で持ち上げられた前記パレットと前記床との間に入れられると共に前記パレットを積載して搬送可能な台車と、
を備えたパレット搬送機構。
【請求項３】
外側に観客席がある競技エリアの床の床面に並べられた複数のパレット本体と、
前記パレット本体の上に植えられた植物と、
前記パレット本体の下部に設けられ、光の照射、水の供給及び風の発生の少なくとも一つを行う供給装置と、
を備えた植物パレット。
【発明の詳細な説明】
【技術分野】
【０００１】
本発明は、競技施設、パレット搬送機構及び植物パレットに関する。
【背景技術】
【０００２】
特許文献１には、浮体式天然芝グランドシステム施設及びその浮体式天然芝グランド構造物に関する技術が開示されている。この先行技術では、ドック内に水を注入して浮体式天然芝グランド構造物を浮上させ、屋内エリアと屋外エリアとの間を浮上移動させている。
【０００３】
特許文献２には、多目的スタジアムなどのフィールドに敷設する天然芝パレットの敷設装置に関する技術が開示されている。この先行技術では、天然芝パレットの下部に設けられた浮上装置の空気圧で天然芝パレットを浮上させることで、天然芝パレットを牽引車が牽引する際の抵抗を大幅に低減している。
【先行技術文献】
【特許文献】
【０００４】
【特許文献１】特開平１０−０８８８３８号公報
【特許文献２】特開平１０−２６２４５３号公報
【発明の概要】
【発明が解決しようとする課題】
【０００５】
特許文献１では、ドック内に水を注入して浮体式天然芝グランド構造物を浮上させるので、施設の装置が大掛かりである。
【０００６】
特許文献２では、浮上装置の空気圧で天然芝パレットを浮上させるので、施設側の装置は不要であり、しかも床面はフラットであるが、天然芝パレットに浮上装置を設けるので、天然芝パレットがコストアップする。
【０００７】
本発明は、上記事実を鑑み、パレット等の被昇降物に昇降装置を設けることなく、外側に観客席がある競技エリアの床の床面をフラットにしつつ被昇降物を昇降させることが目的である。
【課題を解決するための手段】
【０００８】
請求項１の発明は、外側に観客席がある競技エリアと、前記競技エリアの床に複数設けられ、前記床の床面から突出し、被昇降物を昇降する昇降装置と、を備えた競技施設である。
【０００９】
請求項１に記載の発明では、床面から昇降装置が突出していない状態では、床面はフラットであるが、床面から昇降装置を突出させることで、床面に設けられたパレット等の被昇降物を昇降することができる。
【００１０】
請求項２の発明は、請求項１に記載の競技施設の前記競技エリアの前記床面に並べられた複数のパレットと、前記昇降装置で持ち上げられた前記パレットと前記床との間に入れられると共に前記パレットを積載して搬送可能な台車と、を備えたパレット搬送機構である。
【００１１】
請求項２に記載の発明では、昇降装置で持ち上げられたパレットと床との間に台車を入れた状態で昇降装置を下げることで、パレットが台車に積載され、台車で搬送可能となる。また、台車に積載されたパレットを昇降装置で持ち上げて、台車がパレットから移動した後に、昇降装置を下げることで、床面にパレットを設置することができる。
【００１２】
また、台車でパレットが搬送された後の床面は、昇降装置を下げて突出していない状態にすることで、床面がフラットになる。
【００１３】
請求項３の発明は、外側に観客席がある競技エリアの床の床面に並べられた複数のパレット本体と、前記パレット本体の上に植えられた植物と、前記パレット本体の下部に設けられ、光の照射、水の供給及び風の発生の少なくとも一つを行う供給装置と、を備えた植物パレットである。
【００１４】
請求項３に記載の発明では、植物が植えられた植物パレットの下部には、光、水及び風の少なくとも一つを供給することが可能な供給装置が設けられている。
【００１５】
よって、植物パレットを上下方向に積層等して保管する場合に、上側の植物パレットの供給装置が光、水及び風の少なくとも一つを供給することで、下側の植物パレットの植物が養生される。
【発明の効果】
【００１６】
本発明によれば、パレット等の被昇降物に昇降装置を設けることなく、外側に観客席がある競技エリアの床の床面をフラットにしつつ被昇降物を昇降させることができる。
【図面の簡単な説明】
【００１７】
【図１】本発明の一実施形態の競技施設の斜視図である。
【図２】本発明の一実施形態の競技施設を構成するフィールドの要部の縦断面図である。
【図３】（Ａ）〜（Ｅ）は、天然芝パレットの搬出手順の工程図である。
【図４】本発明の一実施形態の天然芝パレット及びその下に台車が進入した状態の平面図である。
【図５】競技施設から搬出された天然芝パレットをフォークリフトで荷受けした状態の図である。
【図６】天然芝パレットを保管した保管施設の拡大正面図である。
【図７】変形例の非自走式の台車を牽引車が牽引している図である。
【図８】変形例の天然芝パレットを持ち上げた状態の要部の縦断面図である。
【図９】（Ａ）は天然芝パレットの中心部に昇降装置を設けると共に変形例の平面視略Ｕ字の台車が天然芝パレットの下に進入した状態の平面図であり、（Ｂ）及び（Ｃ）は天然芝パレットの下に多数の昇降装置を設けると共に変形例の小型の台車が天然芝パレットの下に進入した状態の平面図である。
【図１０】（Ａ）は平面視で長方形状の天然芝パレットを角部同士が接触するように並べた場合の平面図であり、（Ｂ）は天然芝パレットを長辺方向にずらして並べた場合の平面図である。
【図１１】（Ａ）は変形例の平面視で正方形状の天然芝パレットの平面図であり、（Ｂ）は変形例の平面視で正六角形状の天然芝パレットの平面図である。
【図１２】本発明の一実施形態のパレット搬送機構のブロック図である。
【発明を実施するための形態】
【００１８】
＜実施形態＞
本発明の一実施形態に係る、競技施設、パレット搬送機構及び植物パレットについて説明する。
【００１９】
［競技施設］
先ず、競技施設について説明する。
【００２０】
図１に示すように、本実施形態の競技施設１０は、天井が設けられていないサッカー場であり、外周部分に観客席１２が設けられ、中央部分に天然芝１０２の競技エリアの一例としてのフィールド２０が設けられている。また、観客席１２には、フィールド２０から競技施設１０の外に出ることが可能な通路１４が設けられている。
【００２１】
フィールド２０は、床５０と、床５０の床面５０Ａに並べられ敷き詰められた複数の平面視矩形状（長方形状）の植物パレットの一例としての天然芝パレット１００と、を備えた構造となっている（図１０（Ａ）も参照）。
【００２２】
図２に示すように、床５０には設置穴５２が形成され、この設置穴５２に昇降装置６０が設置されている。本実施形態の昇降装置６０は、シリンダー６２とピストンロッド６４とを備えた電動式の油圧ジャッキであり、後述する制御装置５０２（図１２参照）によって制御されている。なお、本実施形態の床５０は鉄筋コンクリート造であるが、これに限定されるものではない。
【００２３】
図４に示すように、昇降装置６０は、被昇降物の一例としての複数の天然芝パレット１００の各角部１００Ａの下側にそれぞれ設置されている。
【００２４】
図２に示す昇降装置６０は、ピストンロッド６４がシリンダー６２に格納された最降下位置において、上端部６４Ａが床５０の床面５０Ａから突出しないように設けられている（図３（Ｄ）及び図３（Ｅ）を参照）。また、昇降装置６０と設置穴５２の開口部５２Ａとの隙間には、図示していないシール材が設けられ、昇降装置６０と設置穴５２との隙間に水や埃等が入らないようになっている。なお、図示していないシール材は、ピストンロッド６４の昇降を妨げない構造となっている。また、床５０には、排水口５４が設けられている。
【００２５】
平面視矩形状（長方形状）の天然芝パレット１００は、パレット本体１２０と、パレット本体１２０の上に設けられた芝部１１０とで構成されている。パレット本体１２０は、鉄骨フレーム１２４と板材１２２とで構成されている。
【００２６】
図４に示すように、鉄骨フレーム１２４は、外周部に配置された第一鉄骨部材１２６（図２も参照）と、第一鉄骨部材１２６の内側に格子状に配置された第二鉄骨部材１２８（図２も参照）と、が接合されて構成されている。
【００２７】
図２に示すように、鉄骨フレーム１２４における昇降装置６０のピストンロッド６４に対応する部位（図４及び図１０も参照）、本実施形態では第一鉄骨部材１２６の両端部（図４も参照）は成が低く、底面１２６Ａは床面５０Ａから離れている。なお、本実施形態では、鉄骨フレーム１２４を構成する第一鉄骨部材１２６及び第二鉄骨部材１２８は、Ｈ形鋼で構成されているが、これに限定されるもではない。
【００２８】
鉄骨フレーム１２４の上には、複数の板材１２２が設けられている。なお、本実施形態の板材１２２はＡＬＣ（Autoclaved Lightweight Concrete(高温高圧蒸気養生された軽量気泡コンクリート））で構成されているが、ＡＬＣに限定されるものではない。
【００２９】
板材１２２の上には、芝部１１０が設けられている。芝部１１０は、土１０４に植物の一例としての天然芝１０２が植えられた構造となっている。なお、本実施形態の芝部１１０の外周部１１０Ａ（隣接する天然芝パレット１００との境界部分）は、スポンジ１０５と人工芝１０３とで構成されている。
【００３０】
天然芝１０２に潅水された水は、土１０４を浸透したのち、板材１２２の隙間や図示していない孔等から床面５０Ａに落下する。床面５０Ａに落下した水は、床５０に設けられた排水口５４から排水される。
【００３１】
前述したように、鉄骨フレーム１２４を構成する第一鉄骨部材１２６の両端部の底面１２６Ａは、床面５０Ａから離れている。
【００３２】
この第一鉄骨部材１２６の両端部（天然芝パレット１００の角部１００Ａ（図４参照））の底面１２６Ａには、筒状のリブ１２３が設けられている。そして、前述した昇降装置６０のピストンロッド６４が床面５０Ａから若干突出し、上端部６４Ａが筒状のリブ１２３内に入っている。
【００３３】
後述するように、昇降装置６０のピストンロッド６４が上昇すると、第一鉄骨部材１２６の底面１２６Ａに接触して押し上げることで、天然芝パレット１００が持ち上がり、天然芝パレット１００が床面５０Ａから大きく離れる（図３を参照）。
【００３４】
［天然芝パレットの供給装置］
次に、天然芝パレットの供給装置について説明する。
【００３５】
図２に示すように、本実施形態の天然芝パレット１００のパレット本体１２０の下部１２０Ａには、供給装置２００が設けられている。本実施形態の供給装置２００は、送風装置２１０、潅水装置２３０及び照明装置２２０で構成されている。
【００３６】
本実施形態の送風装置２１０は、第一鉄骨部材１２６のウエブ１２９及び第二鉄骨部材１２８のウエブ１２７に形成された貫通孔１２１に設けられている。なお、図２では、第一鉄骨部材１２６のウエブ１２７の貫通孔１２１及び送風装置２１０は、図示されていないが、第二鉄骨部材１２８と同様の構造である。
【００３７】
潅水装置２３０は、水平方向に延在するホース２３２を有し、ホース２３２内を流れる水が図示していない孔から下側に向けて吐出するようになっている。照明装置２２０は、下側に向けて光を照射するようになっている。
【００３８】
供給装置２００は、競技施設１０の外に設置されている後述する保管施設３００（図６参照）に保管されると動作するようになっている。なお、供給装置２００の送風装置２１０は、競技施設１０のフィールド２０の床面５０Ａに設置されている状態でも動作可能となっている。
【００３９】
［パレット搬送機構］
次は、パレット搬送機構について説明する。
【００４０】
図１２に示すパレット搬送機構５００は、台車５１０（図１及び図３（Ｃ）参照）、制御装置５０２、前述した昇降装置６０（図２参照）及び天然芝パレット１００（図１及び図２を参照）を含んで構成されている。
【００４１】
本実施形態の台車５１０は、自走式とされ、制御装置５０２によって無線操縦される。
【００４２】
図３（Ｃ）に示すように、台車５１０は昇降装置６０で持ち上げられた天然芝パレット１００と床面５０Ａとの間に入る高さとされると共に天然芝パレット１００を積載して搬送可能である（図４も参照）。
【００４３】
［保管施設］
次に、保管施設について説明する。
【００４４】
図６に示すように、競技施設１０（図１参照）に隣接して構築された保管施設３００は、塔状とされ、天然芝パレット１００を上下に間隔をあけて積層して保管することができる。保管施設３００内には、図示していない上下方向のレールに沿って昇降可能な支持部３１０が設けられ、この支持部３１０の上に天然芝パレット１００が載っている。
【００４５】
保管施設３００には、図示していない電気設備が設けられている。そして、この電気施設に、保管された天然芝パレット１００の供給装置２００の送風装置２１０及び照明装置２２０が電気的に接続することで、送風装置２１０及び照明装置２２０に電気が供給され、送風装置２１０及び照明装置２２０が作動するように構成されている。
【００４６】
また、保管施設３００には、図示していない給水装置が設けられている。そして、この給水装置に、保管された天然芝パレット１００の供給装置２００の潅水装置２３０が接続することで、潅水装置２３０のホース２３２に水が給水されるようになっている。
【００４７】
よって、天然芝パレット１００の供給装置２００の潅水装置２３０のホース２３２から水が吐出し、照明装置２２０から光が下側に向けて照射される。また、送風装置２１０によって、風が発生する。よって、上下に間隔をあけて積層した保管された上側の天然芝パレット１００の供給装置２００によって、下側の天然芝パレット１００の天然芝１０２に水、光及び風が供給され、養生される。
【００４８】
なお、保管施設３００の一番上に保管された天然芝パレット１００の天然芝１０２は、図示していない天井部分に設けられた供給装置２００によって養生される。或いは、保管施設３００の天井部分を開放して太陽光及び風雨によって養生してもよい。
【００４９】
＜作用及び効果＞
次に、本実施形態の作用及び効果について説明する。
【００５０】
図１及び図１０（Ａ）のように、天然芝パレット１００をフィールド２０の床５０の床面５０Ａに並べて設置した状態では、図２に示すように、昇降装置６０のピストンロッド６４が床面５０Ａから若干突出し、ピストンロッド６４の上端部６４Ａが筒状のリブ１２３内に入ることで、天然芝パレット１００が位置決めされると共に横ずれが防止されている。
【００５１】
また、供給装置２００の送風装置２１０を作動させることで、競技施設１０の図示していない空調装置と連動して、天然芝パレット１００を適切な温湿度に保つことが可能となる。
【００５２】
競技施設１０のフィールド２０で、天然芝１０２を必要としないイベント、例えばコンサートや展示会等を開催する場合は、全ての天然芝パレット１００を搬出し、天然芝１０２の傷みを防止する。よって、次に、天然芝パレット１００の搬出作業及び搬入作業の一例について説明する。
【００５３】
図３（Ａ）及び図３（Ｂ）に示すように、制御装置５０２（図１２参照）が昇降装置６０を制御し、ピストンロッド６４を上昇させて天然芝パレット１００を持ち上げる。
【００５４】
図３（Ｃ）に示すように、制御装置５０２（図１２を参照）によって無線操縦された台車５１０が自走して、通路１４（図１を参照）からフィールド２０（図１も参照）に進入し、天然芝パレット１００の平面視における中央部分の真下に移動する（図４も参照）。なお、天然芝パレット１００は昇降装置６０によって床面５０Ａから大きく離れるまで持ち上げられるので、厚みのある台車５１０を天然芝パレット１００の下に入ることができる。
【００５５】
図３（Ｄ）に示すように、昇降装置６０のピストンロッド６４を下降させて天然芝パレット１００を台車５１０に載せる。このとき、ピストンロッド６４は、床面５０Ａまで下降させる。
【００５６】
図１に示すように、天然芝パレット１００を積載した台車５１０を通路１４から競技施設１０の外に搬出する（図３（Ｅ）も参照）。
【００５７】
図５に示すように、競技施設１０（図１を参照）の外に搬出された天然芝パレット１００は、フォークリフト９２で持ち上げて台車５１０（図３（Ｃ）等を参照）から降ろされる。このとき、天然芝パレット１００が大きく、一台のフォークリフト９２で持ち上げられてない場合は、複数台（本実施形態では二台）のフォークリフト９２で持ち上げて降ろせばよい。
【００５８】
なお、本実施形態では、天然芝パレット１００は、図１に示す競技施設１０に隣接した図６に示す保管施設３００に移動して保管される。また、保管施設３００内まで台車５１０で移動し、支持部３１０が上がって受け替えるようにすれば、フォークリフト９２による荷受けが不要になる。
【００５９】
天然芝パレット１００を降ろした台車５１０は、再び通路１４からフィールド２０に進入して、別の天然芝パレット１００を搬出する。
【００６０】
このとき、図１及び図１０（Ａ）のように、平面視で長方形状の天然芝パレット１００を搬出した場所は、凹状のエリア５５となり、ここから台車５１０を進入させる。
【００６１】
全ての天然芝パレット１００を搬出し、図３（Ｄ）及び図３（Ｅ）に示すように、昇降装置６０のピストンロッド６４を降ろして上端部６４Ａを床面５０Ａに同一にすることで、床面５０Ａ全体がフラットになる（図１も参照）。なお、ピストンロッド６４の上端部６４Ａを床面５０Ａよりも下げて、昇降装置６０が設置されている床５０の設置穴５２にキャップ等で蓋をしてもよい。また、必要に応じて床面５０Ａの一部又は全面に板やシート等を敷いてもよい。
【００６２】
競技施設１０の外側に搬出された天然芝パレット１００をフィールド２０に搬入する際は、搬出作業と逆の手順で行えばよい。
【００６３】
具体的には、図５に示すフォークリフト９２で台車５１０（図３（Ｄ）等を参照）に天然芝パレット１００を積載し、図１に示す通路１４からフィールド２０に搬送する。なお、本実施形態のように保管施設３００（図６参照）で保管する場合は、保管施設３００内まで台車５１０が移動し、支持部３１０が下がって受け替えるようにすればよい。
【００６４】
図３（Ｄ）に示すように、台車５１０を所定の場所に移動し、図３（Ｃ）に示すように、積載された天然芝パレット１００を昇降装置６０のピストンロッド６４を上昇させて持ち上げる。
【００６５】
図３（Ｂ）に示すように、台車５１０（図３（Ｃ）等を参照）を移動させた後に、図３（Ａ）に示すように、ピストンロッド６４を下げることで、床面５０Ａに天然芝パレット１００が設置される。
【００６６】
図１に示すように、天然芝パレット１００を降ろした台車５１０は、再び通路１４から競技施設１０の外に移動し、天然芝パレット１００を積載する。
【００６７】
なお、図１２に示す制御装置５０２による台車５１０の位置の把握は、既存の技術を用いて行うことができる。例えば、台車５１０の位置を、床面５０Ａ（図１参照）に設けた磁気テープやセンサー等で把握してもよいし、ＧＰＳで把握してもよい。
【００６８】
このように、天然芝パレット１００をフィールド２０から台車５１０で搬出することで天然芝１０２を痛めることなく、フィールド２０の床５０の床面５０Ａ全面をフラットにして、コンサートや展示会等のイベントを容易に開催することができる。
【００６９】
また、昇降装置６０をコンサートの際のステージ等の昇降に利用してもよい。或いは、台車５１０を移動ステージとして利用してもよい。
【００７０】
なお、競技施設１０のフィールド２０で、天然芝１０２を必要としないコンサートや展示会等のイベントを開催する場合に、天然芝パレット１００を搬出及び搬入する例で説明したが、これに限定さない。例えば、あるエリアの天然芝１０２に傷みが生じた場合、当該エリアの天然芝パレット１００を交換する際の搬出及び搬入にも利用することができる。
【００７１】
また、図２に示すように、本実施形態の天然芝パレット１００は、芝部１１０の外周部１１０Ａ（隣接する天然芝パレット１００との境界部分）は、土１０４と天然芝１０２でなく、スポンジ１０５と人工芝１０３とで構成されている。よって、天然芝パレット１００を持ち上げた際や搬送中等に土１０４がこぼれたり、天然芝１０２が剥がれたりすることが防止される。
【００７２】
図８は、芝部１１０の外周部１１０Ａまで土１０４及び天然芝１０２を設けた変形例の天然芝パレット１０１である。この場合、上述のように、天然芝パレット１０１を持ち上げた際や搬送中等に外周部１１０Ａの土１０４がこぼれたり、天然芝１０２が剥がれたりする虞がある。しかし、外周部１１０Ａの土１０４及び天然芝１０２が破損しても、搬入後に天然芝パレット１０１の芝部１１０の外周部１１０Ａの土１０４及び天然芝１０２を補修すればよい。なお、この変形例の天然芝パレット１０１では、端部に壁１１９を設けて、外周部１１０Ａの土１０４及び天然芝１０２の破損を抑制している。
【００７３】
また、図６に示すように、本実施形態では、塔状の保管施設３００に、天然芝パレット１００を上下に間隔をあけて積層して保管している。よって、天然芝パレット１００を地盤９０の地盤上９０Ａ（図５参照）等に並べて保管する場合と比較し、保管スペースが省スペース化される。
【００７４】
また、前述したように、上下に間隔をあけて積層した保管された上側の天然芝パレット１００の供給装置２００の潅水装置２３０のホース２３２から水が吐出し、照明装置２２０から光が下側に向けて照射される。また、送風装置２１０によって、風が発生する。よって、上側の天然芝パレット１００の供給装置２００によって、下側の天然芝パレット１００の天然芝１０２が養生される。
【００７５】
ここで、本実施形態では、図２に示すように、競技施設１０のフィールド２０の床５０の床面５０Ａに天然芝パレット１００の鉄骨フレーム１２４が直接接触して設置されている。これに対して、角部１００Ａ（図４参照）等に脚が設けられている構造の変形例の天然芝パレットを考える。
【００７６】
この脚が設けられている変形例の天然芝パレットの場合、鉄骨フレーム１２４は脚で支えられ床面５０Ａと間隔があいている。よって、鉄骨フレーム１２４は、撓みを抑制するために剛性を高くする必要が生じ重量が増加する。
【００７７】
これに対して、本実施形態の天然芝パレット１００は、鉄骨フレーム１２４が床面５０Ａに接触して設置されているので、鉄骨フレーム１２４の撓みを考慮する必要がないので、比較例よりも軽量化することができる。
【００７８】
また、変形例の天然芝パレットの場合は、脚で支持されているので、天然芝パレット上でサッカー競技を行った場合、振動しやすい。
【００７９】
これに対して、本実施形態の天然芝パレット１００は、鉄骨フレーム１２４が床面５０Ａに接触して設置されているので、比較例よりも振動しにくい。なお、ここで説明した脚が設けられている構造の変形例の天然芝パレットも本発明の実施形態の一つである。
【００８０】
次に昇降装置を台車に設けた場合の比較例を考える。
【００８１】
台車が天然芝パレットの下に入るには、前述した変形例の天然芝パレットのように脚を設けて床面５０Ａから大きく離す必要がある。しかし、天然芝パレットに脚を設けると、前述したように、重量の増加や振動の増加を招く要因となる。よって、本実施形態のように、昇降装置６０を床５０に設けることは、好適である。
【００８２】
＜その他＞
尚、本発明は上記実施形態に限定されない。
【００８３】
例えば、図２等に示すように、上記施形態の天然芝パレット１００の下部に設けられた供給装置２００は、送風装置２１０、照明装置２２０及び潅水装置２３０で構成されていたが、これに限定されない。供給装置２００は、送風装置２１０、照明装置２２０及び潅水装置２３０の少なくとも一つを備えていればよい。また、天然芝パレット１００の下部に供給装置２００が設けられていなくてもよい。なお、この場合、供給装置２００を保管施設３００（図６参照）に設ければよい。或いは、天然芝パレット１００を地盤上９０Ａ（図５参照）等に並べて保管すればよい。
【００８４】
また、例えば、図２等に示すように、上記実施形態では、天然芝パレット１００をフィールド２０の床５０の床面５０Ａに設置した状態では、昇降装置６０のピストンロッド６４が床面５０Ａから突出し、上端部６４Ａが筒状のリブ１２３内に入っていたが、これに限定されない。天然芝パレット１００を搬出した際と同様に、昇降装置６０のピストンロッド６４の上端部６４Ａが、床面５０Ａ以下の位置にあってもよい（図３（Ｅ）及び図３（Ｆ）参照）。
【００８５】
また、例えば、上記実施形態では、図４に示すように、昇降装置６０は、天然芝パレット１００の角部１００Ａの下に設けられていた、つまり一つの天然芝パレット１００に対して四つの昇降装置６０が設けられていたが、これに限定されない。図９（Ａ）のように、天然芝パレット１００の中心部にも昇降装置６０を設けてもよいし、図９（Ｂ）及び図９（Ｃ）のように更に多くの昇降装置６０を設けてもよい。このように五以上の昇降装置６０を設けることで、昇降装置６０で天然芝パレット１００を持ち上げた際の安定度が向上する。また、一つ当たりの昇降装置６０が負担する重量が少なくてすむ。
【００８６】
なお、図９（Ａ）のように、天然芝パレット１００の中心部にも昇降装置６０を設けた場合は、平面視で凹部５１３が形成された略Ｕ字形状の台車５１２とすることで、中心部の昇降装置６０に干渉することなく、台車５１２を天然芝パレット１００の真下に入れることができる。
【００８７】
また、図９（Ｂ）及び図９（Ｃ）のように多くの昇降装置６０を設けた場合は、複数の小型の台車５１４、５１５で一つの天然芝パレット１００を積載して搬送すればよい。このように複数の台車５１４、５１５で搬送することで、一台の台車５１４、５１５が負担する重量が少なくてすむ。
【００８８】
また、例えば、図１０（Ａ）に示すように、上記実施形態では、平面視で長方形状の天然芝パレット１００を全角部１００Ａ同士が接触するように並べたが、これに限定されない。
【００８９】
例えば、図１０（Ｂ）に示すように天然芝パレット１００を長辺方向にずらして並べてもよい。なお、この図１０（Ｂ）のように天然芝パレット１００を長辺方向にずらして並べると、天然芝パレット１００がずれ難いので好適である。
【００９０】
また、平面視で長方形状以外の形状の天然芝パレットであってもよい。例えば、図１１（Ａ）に示すように、平面視で正方形状の天然芝パレット１０７であってもよいし、図１（Ｂ）に示すように、平面視で正六角形状の天然芝パレット１０８であってもよい。この図１１（Ｂ）の平面視で正六角形状の天然芝パレット１０８は、ずれ難いので好適である。また、正六角形状の天然芝パレット１０８の場合、六つの角部の全ての下に昇降装置６０を設ける必要はなく、例えば、図中のＫで囲った角部に昇降装置６０を設けなくても、天然芝パレット１０８を安定して持ち上げることができる。
【００９１】
また、例えば、図１等に示すように、上記実施形態では、台車５１０は、自走式で、制御装置５０２（図１２参照）が無線操縦する機構であったが、これに限定されない。例えば、カメラ、センサー及び制御装置等を搭載した自動運転の台車５１０とし、各台車５１０自身が位置や方向を認識して、自動で天然芝パレット１００を搬出及び搬入するようにしてもよい。この場合、自動運転の台車５１０からの指示によって、昇降装置６０のピストンロッド６４が昇降するようにしてもよいし、昇降装置６０にもセンサーや制御装置等を備えており、台車５１０と連携してピストンロッド６４を昇降するようにしてもよい。言い換えると、集中制御ではなく、分散制御であってもよい。或いは、作業員が無線で自走式の台車５１０を操作してもよい。更に、図７に示すように、牽引車９４が牽引する非自走式の台車５１９であってもよい。別の観点から説明すると、複数の天然芝パレット１００、複数の台車５１０、５０９及び複数の昇降装置６０を備えるパレット搬送機構５００は、制御装置５０２を有しない構成であってもよい。
【００９２】
また、例えば、図２に示すように、上記実施形態では、昇降装置６０は、シリンダー６２とピストンロッド６４とを備えた電動式の油圧ジャッキであったが、これに限定されない。どのような構造の昇降装置であってもよい。パンタグラフ式の昇降装置であってもよい。
【００９３】
また、例えば、図１に示すように、上記実施形態の競技施設１０は、天井が設けられていないサッカー場であるが、これに限定されない。天井がある競技施設であってもよい。なお、この場合は、天然芝パレット１００は、常時、競技施設１０の外で保管して養生し、天然芝１０２が必要なときに床面５０Ａに敷き詰めるようにすればよい。或いは、養生が必要な天然芝１０２でなく人工芝のパレットとしてもよい。
【００９４】
また、図１に示すサッカー場以外の競技施設１０、例えば、陸上競技場や野球場に本発明を適用してもよい。その場合、パレット本体１２０（図１参照）の上には、天然芝１０２以外、例えば、人工芝、ゴムチップ弾性舗装材及び人工土等を使用目的に応じて設ければよい。また、例えば、競技エリアの一部をゴムチップ弾性舗装材のパレットとし、他を天然芝パレット１００としてもよい。
【００９５】
また、天然芝１０２以外の植物、例えば草花が植えられた植物パレットであってもよい。
【００９６】
更に、本発明の要旨を逸脱しない範囲において種々なる態様で実施し得る。
【符号の説明】
【００９７】
１０      競技施設
１２      観客席
２０      フィールド（競技エリアの一例）
５０      床
５０Ａ    床面
６０      昇降装置
１００      天然芝パレット（被昇降物の一例、植物パレットの一例）
１０１      天然芝パレット（被昇降物の一例、植物パレットの一例）
１０２      天然芝（植物の一例）
１０７      天然芝パレット（被昇降物の一例、植物パレットの一例）
１０８      天然芝パレット（被昇降物の一例、植物パレットの一例）
１２０      パレット本体
１２０Ａ    下部
２００      供給装置
２１０      送風装置
２２０      照明装置
２３０      潅水装置
３００      保管施設
５００      パレット搬送機構
５０２      制御装置
５１０      台車
５１２      台車
５１４      台車
５１５      台車
５１９      台車
【図１】
2019094743.tif 000003
【図２】
2019094743.tif 000004
【図３】
2019094743.tif 000005
【図４】
2019094743.tif 000006
【図５】
2019094743.tif 000007
【図６】
2019094743.tif 000008
【図７】
2019094743.tif 000009
【図８】
2019094743.tif 000010
【図９】
2019094743.tif 000011
【図１０】
2019094743.tif 000012
【図１１】
2019094743.tif 000013
【図１２】
2019094743.tif 000014